(57)【特許請求の範囲】
【請求項１】
筐体内に弾性支持された外槽と、
前記外槽内に回転可能に設けられた洗濯兼脱水槽と、
前記洗濯兼脱水槽を回転させる駆動部と、
前記筐体の共振振動を抑える制振部とを備え、
前記制振部は、
自らが振動して制振力を発生する錘と、
前記錘を前記筐体の前部を補強する前部補強体に移動が可能なように支持するとともに、前記錘を前記筐体の後部を補強する後部補強体に移動が可能なように支持するスライド支持部と、
前記錘と前記前部補強体を弾性接続する第１の弾性体と、
前記錘と前記後部補強体を弾性接続する第２の弾性体とを有し、
前記錘と前記第１の弾性体と前記第２の弾性体で構成される振動部の共振振動数を前記筐体の共振振動数と実質的に同一に設定された
洗濯機。
【請求項２】
前記制振部は、
圧縮機および熱交換器を有するヒートポンプユニットで前記錘を構成し、
前記ヒートポンプユニットの前記熱交換器側を前記前部補強体に移動が可能なように支持し、
前記ヒートポンプユニットの前記圧縮機側を前記後部補強体に移動が可能なように支持し、
前記ヒートポンプユニットの前記熱交換器側と前記前部補強体を前記第１の弾性体で接続し、
前記ヒートポンプユニットの前記圧縮機側と前記後部補強体を前記第２の弾性体で接続した
請求項１記載の洗濯機。
【請求項３】
前記制振部は、
前記第１の弾性体の第１のばね定数を前記第２の弾性体の第２のばね定数より小さく設定された
請求項２記載の洗濯機。
【請求項４】
前記制振部は、
ヒートポンプケース内の構成部材を弾性支持する第３の弾性体を有し、
前記ヒートポンプユニットと前記第２の弾性体で構成される第１の振動部の第１の共振振動数と、前記構成部材と前記第３の弾性体で構成される第２の振動部の第２の共振振動数とが異なるように設定された
請求項２記載の洗濯機。
【請求項５】
前記制振部は、
ヒートポンプケース内の構成部材を弾性支持する第３の弾性体を有し、
前記ヒートポンプユニットと前記第２の弾性体で構成される第１の振動部の第１の共振振動数が、前記構成部材と前記第３の弾性体で構成される第２の振動部の第２の共振振動数より小さくなるように設定された
請求項２記載の洗濯機。
【請求項６】
前記制振部は、
ヒートポンプケース内の構成部材を弾性支持する第３の弾性体を有し、
前記ヒートポンプユニットと前記第２の弾性体で構成される第１の振動部の第１の共振振動数が、前記構成部材と前記第３の弾性体で構成される第２の振動部の第２の共振振動数より大きくなるように設定された
請求項２記載の洗濯機。
【請求項７】
前記制振部は、
ヒータおよびファンを有する乾燥ユニットで前記錘を構成し、
前記乾燥ユニットの前記ヒータ側を前記前部補強体に移動が可能なように支持し、
前記乾燥ユニットの前記ファン側を前記後部補強体に移動が可能なように支持し、
前記乾燥ユニットの前記ヒータ側と前記前部補強体を第１の弾性体で接続し、
前記乾燥ユニットの前記ファン側と前記後部補強体を第２の弾性体で接続し、
前記第１の弾性体の第１のばね定数を前記第２の弾性体の第２のばね定数より小さく設定された
請求項１記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、運転時の筐体の振動を低減することが考えられている（例えば、特許文献１参照）。図８は、特許文献１に記載された従来の洗濯機の筐体の側壁に取り付けられた動吸振器の構成を示すものである。図８に示すように、筐体の側壁１に板状の振動体２を取り付け台３を介して取り付けたものである。板状の振動体２は固有の共振振動数を持っており、脱水定常時の筐体の側壁１の振動周期と、振動体２の共振振動の振動周期を一致させることで、筐体の側壁１の振動周期と半波長ずれて振動体２が振動するため、筐体の側壁１の振動が相殺され、筐体の側壁１の振動が低減されるようにしたものである。
【０００３】
また、筐体の上部に錘と弾性体で構成された動吸振器を取り付け、洗濯機本体の共振振動を低減することが考えられている（例えば、特許文献２参照）。
【０００４】
また、筐体の上部にヒートポンプユニットを固定し、ヒートポンプユニットの重量で筐体の振動を抑制することが考えられている（例えば、特許文献３参照）。
【先行技術文献】
【特許文献】
【０００５】
【特許文献１】特開平４−３５２９９４号公報
【特許文献２】特開２００６−２０４５６４号公報
【特許文献３】特開２０１１−１３６０７４号公報
【発明の概要】
【発明が解決しようとする課題】
【０００６】
しかしながら、前記特許文献１に記載された従来の構成では、筐体の側壁１に振動体２を取り付けているため、筐体の側壁１のみが共振振動する場合は効果があるが、脱水起動時に発生する振動、すなわち、筐体全体が筐体の底部を支点にして左右に大きく揺れる共振振動モードに対しては、振動を抑制する効果が少ないという問題があった。
【０００７】
また、前記特許文献２に記載された従来の構成では、動吸振器の弾性体が左右、前後、上下の各方向に変形可能であるため、錘が同時に各方向に振動して制振能力が分散し、筐体の共振振動モードである左右方向の振動に対して制振能力が低下するという問題があった。
【０００８】
また、前記特許文献３に記載された従来の構成では、筐体の上部に固定したヒートポンプユニットの重量で振動を抑制するため、筐体の重心位置が高くなることから、共振時は洗濯機本体の振動を助長し、振動を低減することが難しいという問題があった。
【０００９】
本発明は、前記従来の課題を解決するもので、筐体全体が左右に大きく揺れる共振振動を効率的に相殺する制振部を設け、筐体の制振性能を向上させた洗濯機を提供することを目的とする。
【課題を解決するための手段】
【００１０】
前記従来の課題を解決するために、本発明の洗濯機は、筐体内に弾性支持された外槽と
、前記外槽内に回転可能に設けられた洗濯兼脱水槽と、前記洗濯兼脱水槽を回転させる駆動部と、前記筐体の共振振動を抑える制振部とを備え、前記制振部は、自らが振動して制振力を発生する錘と、前記錘を前記筐体の前部を補強する前部補強体にスライド自在に支持するとともに、前記錘を前記筐体の後部を補強する後部補強体にスライド自在に支持するスライド支持部と、前記錘と前記前部補強体を弾性接続する第１の弾性体と、前記錘と前記後部補強体を弾性接続する第２の弾性体とを有し、前記錘と前記第１の弾性体と前記第２の弾性体で構成される振動部の共振振動数を前記筐体の共振振動数と実質的に同一に設定されたものである。
【００１１】
これによって、筐体の上部が大きく左右に振動する共振振動に対して、筐体の上部に左右方向にスライドする前後２つのスライド支持部で錘を支持することにより、左右方向に制振能力を発揮する制振部を筐体の共振振動振幅が最大となる筐体の上部に設けることができるようになり、筐体の振動エネルギーを効果的に振動部に伝達し、筐体の振動エネルギーを振動部を振動させるエネルギーに変換することができ、筐体の共振振動を効果的に低減することができる。
【発明の効果】
【００１２】
本発明の洗濯機は、筐体の共振振動を効果的に低減することができる。
【図面の簡単な説明】
【００１３】
【図１】本発明の実施の形態１における洗濯機の要部断面図
【図２】本実施の形態の洗濯機の要部平面図
【図３】本発明の実施の形態２における洗濯機の要部断面図
【図４】本実施の形態の洗濯機の要部平面図
【図５】本発明の実施の形態３における洗濯機の要部平面図
【図６】本発明の実施の形態４〜６における洗濯機の要部断面図
【図７】本発明の実施の形態７における洗濯機の要部断面図
【図８】従来の洗濯機の制振部の要部断面図
【発明を実施するための形態】
【００１４】
第１の洗濯機の発明は、筐体内に弾性支持された外槽と、前記外槽内に回転可能に設けられた洗濯兼脱水槽と、前記洗濯兼脱水槽を回転させる駆動部と、前記筐体の共振振動を抑える制振部とを備え、前記制振部は、自らが振動して制振力を発生する錘と、前記錘を前記筐体の前部を補強する前部補強体にスライド自在に支持するとともに、前記錘を前記筐体の後部を補強する後部補強体にスライド自在に支持するスライド支持部と、前記錘と前記前部補強体を弾性接続する第１の弾性体と、前記錘と前記後部補強体を弾性接続する第２の弾性体とを有し、前記錘と前記第１の弾性体と前記第２の弾性体で構成される振動部の共振振動数を前記筐体の共振振動数と実質的に同一に設定されたものである。これにより、筐体の上部が大きく左右に振動する共振振動に対して、筐体の上部に左右方向に制振能力を発揮する制振部を設けることで、筐体の振動エネルギーを効果的に振動部に伝達し、筐体の振動エネルギーを振動部を振動させるエネルギーに変換することができ、筐体の共振振動を効果的に低減することができる。
【００１５】
第２の発明は、特に、第１の発明において、前記制振部は、圧縮機および熱交換器を有するヒートポンプユニットで前記錘を構成し、前記ヒートポンプユニットの前記熱交換器側を前記前部補強体にスライド自在に支持し、前記ヒートポンプユニットの前記圧縮機側を前記後部補強体にスライド自在に支持し、前記ヒートポンプユニットの熱交換器側と前記前部補強体を前記第１の弾性体で接続し、前記ヒートポンプユニットの圧縮機側と前記後部補強体を前記第２の弾性体で接続したものである。これにより、制振部の錘に既存の部材を使用することができ、制振部を安価に構成することができるとともに、質量の大き
いヒートポンプユニットを錘に使用することで制振能力を高めることができ、筐体の共振振動を安価で効果的に低減することができる。
【００１６】
第３の発明は、特に、第２の発明において、前記制振部は、前記第１の弾性体の第１のばね定数を前記第２の弾性体の第２のばね定数より小さく設定されたものである。これにより、比較的質量の軽い熱交換器側の第１の弾性体の第１のばね定数を小さくして、熱交換器側の共振振動数と、圧縮機側の共振振動数を実質的に同等にすることで、両者の共振振動数のずれによる制振効果の低下を防止することができる。
【００１７】
第４の発明は、特に、第２の発明において、前記制振部は、ヒートポンプケース内の構成部材を弾性支持する第３の弾性体を有し、前記ヒートポンプユニットと前記第２の弾性体で構成される第１の振動部の第１の共振振動数と、前記構成部材と前記第３の弾性体で構成される第２の振動部の第２の共振振動数とが異なるように設定されたものである。これにより、ヒートポンプユニットが筐体の共振を低減するために振動しても構成部材が共振することがなく、ヒートポンプユニットの信頼性を向上することができる。
【００１８】
第５の発明は、特に、第２の発明において、前記制振部は、ヒートポンプケース内の構成部材を弾性支持する第３の弾性体を有し、前記ヒートポンプユニットと前記第２の弾性体で構成される第１の振動部の第１の共振振動数が、前記構成部材と前記第３の弾性体で構成される第２の振動部の第２の共振振動数より小さくなるように設定されたものである。これにより、ヒートポンプユニットが筐体の共振を低減するために共振振動した時、構成部材の第２の共振振動数が高いため構成部材は共振前であるためヒートポンプユニットと同相で振動することになり、構成部材に発生する応力の増大を抑えることができ、ヒートポンプユニットの信頼性を向上することができる。
【００１９】
第６の発明は、特に、第２の発明において、前記制振部は、ヒートポンプケース内の構成部材を弾性支持する第３の弾性体を有し、前記ヒートポンプユニットと前記第２の弾性体で構成される第１の振動部の第１の共振振動数が、前記構成部材と前記第３の弾性体で構成される第２の振動部の第２の共振振動数より大きくなるように設定されたものである。これにより、筐体の共振前に構成部材が共振を通過するようにでき、筐体の共振時および定常時に構成部材が共振することがなく、ヒートポンプユニットの信頼性を向上することができる。
【００２０】
第７の発明は、特に、第１の発明において、前記制振部は、ヒータおよびファンを有する乾燥ユニットで前記錘を構成し、前記乾燥ユニットの前記ヒータ側を前記前部補強体にスライド自在に支持し、前記乾燥ユニットの前記ファン側を前記後部補強体にスライド自在に支持し、前記乾燥ユニットの前記ヒータ側と前記前部補強体を第１の弾性体で接続し、前記乾燥ユニットの前記ファン側と前記後部補強体を第２の弾性体で接続し、前記第１の弾性体の第１のばね定数を前記第２の弾性体の第２のばね定数より小さく設定されたものである。これにより、ヒータとファンで構成された乾燥ユニットで制振部を構成することができ、制振部の錘に既存の部品を使用し、更に安価に制振部を構成することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における洗濯機の要部断面図である。図２は、本実施の形態の洗濯機の要部平面図である。
図１および図２において、筐体３０内に、２組のばね３１とダンパ３２により外槽３３が
下方から弾性支持されている。筐体３０と外槽３３の上部の間に設けられた引張りばね３１ａは、筐体３０内で外槽３３を前上がりに傾斜させた姿勢を確保する。洗濯兼脱水槽３４は、外槽３３内に回転自在に配設されている。
【００２３】
モータ３５は、洗濯兼脱水槽３４を回転させる駆動部である。モータ３５は、ブラシレス直流モータで構成され、インバータ制御によって回転速度を自在に変化させることができるようになっている。モータ３５は、モータプーリ３５ａ、駆動ベルト３５ｂ、洗濯兼脱水槽プーリ３４ａを介して洗濯兼脱水槽３４を回転させる。給水部である給水弁３６は、水道に接続され洗濯兼脱水槽３４内に洗濯水を給水する。水位検知部３７は、外槽３３内の洗濯水位を検知する。排水部である排水弁３８は、外槽３３内の洗濯水を機外へ排水する。
【００２４】
制御装置３９は、筐体３０内の上部に設けられている。制御装置３９は、筐体３０の前面上部に設けられた操作表示部４０から使用者により入力された設定内容に基づいて、洗い、すすぎ、脱水の各工程を有する洗濯運転を実行する。制御装置３９は、パワースイッチング部（図示せず）を介してモータ３５、給水弁３６、排水弁３８などを逐次制御する。
【００２５】
前部補強体４１は、対向する第１の側板３０ａと第２の側板３０ｂの前部上方に両端が固定され、筐体３０の前部の強度を確保している。後部補強体４２は、対向する第１の側板３０ａと第２の側板３０ｂの後部上方に両端が固定され、筐体３０の後部の強度を確保している。
【００２６】
制振部４３は、錘４４と、スライド支持部４５と、第１の弾性体４６と、第２の弾性体４７とで構成されている。スライド支持部４５は、錘４４の前後に設けられ、錘４４の前部４４ａを前部補強体４１に、前側から見て左右方向に移動が可能なように支持するとともに、錘４４の後部４４ｂを後部補強体４２に、前側から見て左右方向に移動が可能なように支持する。第１の弾性体４６は、錘４４の前部４４ａと前部補強体４１を弾性的に接続する。第２の弾性体４７は、錘４４の後部４４ｂと後部補強体４２を弾性的に接続する。
【００２７】
錘４４は、前部４４ａおよび後部４４ｂの左右それぞれに４つの支持体４５ｂを有する。それぞれの支持体４５ｂは、前部補強体４１と後部補強体４２の各々に設けられた横方向に長い貫通孔４５ａを貫通している。スライド支持部４５は、前部補強体４１と後部補強体４２の各々に設けられた横方向に長い貫通孔４５ａに支持体４５ｂを貫通して錘４４の前部４４ａおよび錘４４の後部４４ｂに支持体４５ｂの一端を固定し、支持体４５ｂが貫通孔４５ａ内を前側から見て左右方向に移動することで錘４４をスライド自在に支持している。
【００２８】
第１の弾性体４６と第２の弾性体４７は、錘４４がスライド支持部４５でスライドすることによりせん断方向に変形し、弾性と減衰を発揮するように設けられている。錘４４の前部４４ａと第１の弾性体４６で構成される振動部４３ａの共振振動数、ならびに、錘４４の後部４４ｂと第２の弾性体４７で構成される振動部４３ａの共振振動数は、筐体３０の共振振動数（例えば、８Ｈｚ〜１０Ｈｚ）と実質的に同一に設定されている。すなわち、筐体３０の共振振動数の近傍で、好ましくは同一の共振振動数に設定されている。第１の弾性体４６と第２の弾性体４７は、弾性と粘性を備えた振動音の少ないゴムで構成されていることが望ましい。
【００２９】
以上のように構成された洗濯機について、以下その動作、作用を説明する。使用者は、洗濯兼脱水槽３４内に衣類等の洗濯物と洗剤を投入後、操作表示部４０を操作して運転を
開始する。制御装置３９は、投入された洗濯物の量を検知した後、給水弁３６を開成して給水を開始し、外槽３３内に洗濯水が供給される。外槽３３内に溜まった洗濯水は、洗濯兼脱水槽３４の周壁面に設けた多数の小穴３４ｂから洗濯兼脱水槽３４内に流入する。
【００３０】
洗濯物の量に応じて予め設定された量の洗濯水が供給されると、制御装置３９は、給水弁３６を閉成して給水を停止する。洗濯兼脱水槽３４の回転により洗剤は洗濯水に溶かされ、洗濯液となって洗濯物に浸透する。洗濯兼脱水槽３４は、３０ｒ／ｍｉｎ程度の低速で回転し、洗濯物は、洗濯兼脱水槽３４の周壁面に内方へ突設したバッフル３４ｃによって回転方向へ持ち上げられては落下する。制御装置３９は、この叩き洗いによる洗濯工程を規定時間行う。洗濯工程の終了後、排水弁３８が開き、汚れを溶かし込んだ洗濯液は、外槽３３の外に排水される。
【００３１】
次に、制御装置３９は、洗濯工程と同様に給水を行い、洗濯兼脱水槽３４を回転させてすすぎ工程を規定時間行う。すすぎ工程の終了後、排水弁３８が開き、外槽３３内の洗濯液は、外槽３３の外に排水される。
【００３２】
排水終了後、制御装置３９は、洗濯工程後には中間脱水を行い、すすぎ工程後には脱水工程を行う。脱水工程においては洗濯兼脱水槽３４の脱水起動が行われ、洗濯兼脱水槽３４の回転は徐々に速くなる。洗濯兼脱水槽３４の中の洗濯物に偏りがあると加振力となって外槽３３は振動する。この振動エネルギーが、ばね３１およびダンパ３２等の弾性支持部を伝わり、筐体３０を加振する。
【００３３】
洗濯兼脱水槽３４の回転数が、筐体３０の共振振動数（例えば、８Ｈｚ〜１０Ｈｚ）と一致する共振回転数（例えば、４８０〜６００ｒ／ｍｉｎ）になると、筐体３０は前側から見て横方向に大きく振動する。この振動数は制振部４３の共振振動数と一致しているので、筐体３０の振動エネルギーが制振部４３の錘４４を大きく振動させるために消費され、結果として筐体３０の振動は低減されることになる。また、制振部４３が前部補強体４１と後部補強体４２を橋渡しするように設置されているため、筐体３０の前部と後部ともに制振されることになる。
【００３４】
このように、筐体３０の振動エネルギーが錘４４の運動エネルギーに変換されることから、筐体３０の振動エネルギーが小さくなり、それにつれて筐体３０の振動も減少する。また、筐体３０の共振振動モードである横方向振動について高効率にその振動エネルギーを吸収するために、錘４４は横方向のみにスライドするように構成されて、制振部４３の制振能力の分散を防止している。
【００３５】
以上のように、本実施の形態においては、筐体３０内に弾性支持された外槽３３と、外槽３３内に回転可能に設けられた洗濯兼脱水槽３４と、洗濯兼脱水槽３４を回転させるモータ３５と、筐体３０の共振振動を抑える制振部４３とを備え、制振部４３は、自らが振動して制振力を発生する錘４４と、錘４４を筐体３０の前部を補強する前部補強体４１にスライド自在に支持するとともに、錘４４を筐体３０の後部を補強する後部補強体４２にスライド自在に支持するスライド支持部４５と、錘４４と前部補強体４１を弾性接続する第１の弾性体４６と、錘４４と後部補強体４２を弾性接続する第２の弾性体４７とを有し、錘４４と第１の弾性体４６と第２の弾性体４７で構成される振動部４３ａの共振振動数を筐体３０の共振振動数と実質的に同一、すなわち、近傍または同一に設定されたものである。これにより、洗濯機は、筐体３０の上部が大きく左右に振動する共振振動に対して、筐体３０の上部に左右方向に制振能力を発揮する制振部４３が設けられることで、筐体３０の振動エネルギーを効果的に振動部４３ａに伝達し、筐体３０の振動エネルギーを振動部４３ａを振動させるエネルギーに変換することができ、脱水起動時の筐体３０の共振振動を効果的に低減し、スムーズに脱水運転を開始することができる。
【００３６】
（実施の形態２）
図３は、本発明の実施の形態２における洗濯機の要部断面図である。図４は、本実施の形態における洗濯機の要部平面図である。本実施の形態の特徴は、圧縮機５０および熱交換器４９を有するヒートポンプユニット４８で制振部４３の錘４４が構成されたことである。他の構成は実施の形態１と同じであり、同一の構成に同一の符号を付して、詳細な説明は実施の形態１のものを援用する。
【００３７】
図３および図４において、制振部４３は、圧縮機５０および熱交換器４９を有するヒートポンプユニット４８で錘４４を構成している。ヒートポンプユニット４８は、圧縮機５０と、凝縮器４９ａと、絞り部（図示せず）と、蒸発器４９ｂとを冷媒が循環するように配管６４により連結して構成されている。ヒートポンプユニット４８は、ヒートポンプケース４８ａの内部で、熱交換器４９を前側に配置され、圧縮機５０を後側に配置されている。制振部４３は、錘４４として作用するヒートポンプユニット４８の熱交換器４９側を前部補強体４１に支持し、ヒートポンプユニット４８の圧縮機５０側を後部補強体４２に支持している。特に、前側から見て左右方向に移動が可能となるように、それぞれスライド支持部４５で支持している。
【００３８】
ヒートポンプユニット４８の熱交換器４９側と前部補強体４１は、第１の弾性体４６で弾性的に接続されている。ヒートポンプユニット４８の圧縮機５０側と後部補強体４２は、第２の弾性体４７で弾性的に接続されている。第１の弾性体４６と第２の弾性体４７は、ヒートポンプユニット４８がスライド支持部４５でスライドすることによりせん断方向に変形し、弾性と減衰を発揮するように設けられている。
【００３９】
ヒートポンプユニット４８の熱交換器４９側と、第１の弾性体４６で構成される振動部４３ａの共振振動数、ならびに、ヒートポンプユニット４８の圧縮機５０側と、第２の弾性体４７で構成される振動部４３ａの共振振動数は、筐体３０の共振振動数（例えば、８Ｈｚ〜１０Ｈｚ）と実質的に同一に設定されている。すなわち、筐体３０の共振振動数の近傍で、好ましくは、同一の共振振動数に設定されている。
【００４０】
ヒートポンプユニット４８は、筐体３０内で外槽３３の上方に配設されており、風路を形成するヒートポンプケース４８ａの内部に、圧縮機５０、凝縮器４９ａ（図示せず）と蒸発器４９ｂ（図示せず）とを有する熱交換器４９、ファン４８ｂ等を収容している。吹き出しダクト６０は、外槽３３の後方上部とヒートポンプケース４８ａを蛇腹６２を介して接続している。吸い込みダクト６１は、リントを捕集するフィルター４８ｃを有し、蛇腹６２を介して外槽３３の前方上部とヒートポンプケース４８ａを接続している。
【００４１】
これらの構成により、凝縮器４９ａを通過して加熱された温風が吹き出しダクト６０から外槽３３内に吹き込まれる。そして、洗濯兼脱水槽３４内の洗濯物を乾燥させた後の湿った空気が吸い込みダクト６１から吸い込まれ、フィルター４８ｃでリント等の異物が除去される。そして、蒸発器４９ｂで冷却除湿された空気が再び凝縮器４９ａを通過して加熱される。凝縮器４９ａで加熱された乾いた温風が、再び吹き出しダクト６０から外槽３３内へ吹き込まれることで、乾燥用の空気を洗濯兼脱水槽３４とヒートポンプユニット４８を循環させて、洗濯物の乾燥を進行させる。
【００４２】
圧縮機５０は、ヒートポンプケース４８ａ内に第３の弾性体５１により防振支持されている。筐体３０の共振時にヒートポンプユニット４８は大きく振動するが、圧縮機５０と熱交換器４９はヒートポンプユニット４８と同相で振動するので、圧縮機５０と熱交換器４９を接続する冷媒循環用の配管６４に振動負荷がかかって損傷させることはない。
【００４３】
フィルター４８ｃは筐体３０に固定されているが、ヒートポンプケース４８ａとは伸縮自在な可撓性の蛇腹６５で接続されており、ヒートポンプユニット４８は筐体３０に拘束されることなく移動自在に設置されている。
【００４４】
以上のように、本実施の形態においては、制振部４３は、圧縮機５０および熱交換器４９を有するヒートポンプユニット４８で錘４４を構成し、ヒートポンプユニット４８の熱交換器４９側を前部補強体４１に移動が可能なように支持し、ヒートポンプユニット４８の圧縮機５０側を後部補強体４２に移動が可能なように支持し、ヒートポンプユニット４８の熱交換器４９側と前部補強体４１を第１の弾性体４６で接続し、ヒートポンプユニット４８の圧縮機５０側と後部補強体４２を第２の弾性体４７で接続したものである。これにより、制振部４３の錘４４にヒートポンプユニット４８という既存の部材を用いることで、制振部４３を安価に構成することができるとともに、質量が大きいヒートポンプユニット４８を錘４４に使用することで制振能力を高めることができ、筐体３０の共振振動を安価で効果的に低減することができる。
【００４５】
（実施の形態３）
図５は、本発明の実施の形態３における洗濯機の要部平面図である。本実施の形態の特徴は、制振部４３の第１の弾性体４６の第１のばね定数が、第２の弾性体４７の第２のばね定数より小さく設定されたことである。他の構成は実施の形態２と同じであり、同一の構成に同一の符号を付して、詳細な説明は実施の形態２のものを援用する。
【００４６】
図５において、制振部４３は、第１の弾性体４６の第１のばね定数を第２の弾性体４７の第２のばね定数より小さく設定されている。ヒートポンプユニット４８の熱交換器４９の質量は、圧縮機５０の質量より小さいため、第１の弾性体４６の第１のばね定数を小さく設定して、熱交換器４９側の共振振動数と、圧縮機５０側の共振振動数を共に、例えば８Ｈｚ〜１０Ｈｚにすることで、両者の共振振動数のずれによる制振効果の低下を防止することができる。
【００４７】
（実施の形態４）
図６は、本発明の実施の形態４における洗濯機の要部断面図である。本実施の形態の特徴は、ヒートポンプユニット４８と第２の弾性体４７で構成される第１の振動部５２の第１の共振振動数が、構成部材である圧縮機５０と第３の弾性体５１で構成される第２の振動部５３の第２の共振振動数より小さくなるように設定されて異ならせたことである。他の構成は実施の形態２と同じであり、同一の構成に同一の符号を付して、詳細な説明は実施の形態２のものを援用する。
【００４８】
図６において、制振部４３は、筐体３０の後部を補強する後部補強体４２にヒートポンプユニット４８の圧縮機５０側を弾性接続する第２の弾性体４７と、ヒートポンプケース４８ａの内部でヒートポンプユニット４８の構成部材である圧縮機５０を弾性支持する第３の弾性体５１を有している。
【００４９】
第３の弾性体５１は、クッション性を有するゴム等で構成され、ヒートポンプケース４８ａ内の底部に設けられている。上面が下方に窪んだ第３の弾性体５１は、圧縮機５０の下部を挿入され、圧縮機５０を弾性的に支持している。
【００５０】
ヒートポンプユニット４８の後部と第２の弾性体４７で構成される第１の振動部５２の第１の共振振動数は、筐体３０の共振振動数である、例えば８Ｈｚ〜１０Ｈｚに設定されている。構成部材である圧縮機５０と第３の弾性体５１で構成される第２の振動部５３の第２の共振振動数は、圧縮機５０の駆動周波数が２０Ｈｚ、９０Ｈｚなので、それよりも高い１００Ｈｚに設定されている。
【００５１】
これにより、ヒートポンプユニット４８が筐体３０の共振振動を低減するために振動しても圧縮機５０が共振することがなく、構成部材に負荷がかかりにくいのでヒートポンプユニット４８の信頼性を向上することができる。
【００５２】
（実施の形態５）
図６は、本発明の実施の形態５における洗濯機の要部断面図である。本実施の形態の特徴は、構成部材である圧縮機５０と第３の弾性体５１で構成される第２の振動部５３の第２の共振振動数が、圧縮機５０の駆動周波数の間に設定されたことである。他の構成は実施の形態２と同じであり、同一の構成に同一の符号を付して、詳細な説明は実施の形態２のものを援用する。
【００５３】
図６において、制振部４３は、筐体３０の後部を補強する後部補強体４２にヒートポンプユニット４８の圧縮機５０側を弾性接続する第２の弾性体４７と、ヒートポンプケース４８ａの内部でヒートポンプユニット４８の構成部材である圧縮機５０を弾性支持する第３の弾性体５１を有している。
【００５４】
第３の弾性体５１は、クッション性を有するゴム等で構成され、ヒートポンプケース４８ａ内の底部に設けられている。上面が下方に窪んだ第３の弾性体５１は、圧縮機５０の下部を挿入され、圧縮機５０を弾性支持している。
【００５５】
ヒートポンプユニット４８の後部と第２の弾性体４７で構成される第１の振動部５２の第１の共振振動数は、筐体３０の共振振動数である、例えば８Ｈｚ〜１０Ｈｚに設定されている。構成部材である圧縮機５０と第３の弾性体５１で構成される第２の振動部５３の第２の共振振動数は、圧縮機５０の駆動周波数が２０Ｈｚ、９０Ｈｚなので、その間の５０Ｈｚに設定されている。
【００５６】
したがって、ヒートポンプユニット４８が筐体３０の共振振動を低減するために振動した時、圧縮機５０と第３の弾性体５１で構成される第２の振動部５３の第２の共振振動数が第１の共振振動数より高いため、圧縮機５０は共振前であるためヒートポンプユニット４８と同相で振動する。これにより、圧縮機５０やその他のヒートポンプユニット４８の構成部材に発生する応力が増大するのを抑えることができ、ヒートポンプユニット４８の信頼性を向上することができる。
【００５７】
（実施の形態６）
図６は、本発明の実施の形態６における洗濯機の要部断面図である。本実施の形態の特徴は、ヒートポンプユニット４８と第２の弾性体４７で構成される第１の振動部５２の第１の共振振動数が、構成部材である圧縮機５０と第３の弾性体５１で構成される第２の振動部５３の第２の共振振動数より大きくなるように設定されたことである。他の構成は実施の形態２と同じであり、同一の構成に同一の符号を付して、詳細な説明は実施の形態２のものを援用する。
【００５８】
図６において、制振部４３は、筐体３０の後部を補強する後部補強体４２にヒートポンプユニット４８の圧縮機５０側を弾性接続する第２の弾性体４７と、ヒートポンプケース４８ａの内部でヒートポンプユニット４８の構成部材である圧縮機５０を弾性的に支持する第３の弾性体５１を有している。
【００５９】
第３の弾性体５１は、クッション性を有するゴム等で構成され、ヒートポンプケース４８ａ内の底部に設けられている。上面が下方に窪んだ第３の弾性体５１は、圧縮機５０の下部を挿入され、圧縮機５０を弾性支持している。
【００６０】
ヒートポンプユニット４８の後部と第２の弾性体４７で構成される第１の振動部５２の第１の共振振動数は、筐体３０の共振振動数である、例えば８Ｈｚ〜１０Ｈｚに設定されている。構成部材である圧縮機５０と第３の弾性体５１で構成される第２の振動部５３の第２の共振振動数は、筐体３０の共振振動数である８Ｈｚ〜１０Ｈｚより低い、例えば６Ｈｚ〜７Ｈｚに設定されている。
【００６１】
これにより、筐体３０の共振前に、圧縮機５０と第３の弾性体５１で構成される第２の振動部５３の共振を通過するようにでき、筐体３０の共振時および定常時に、圧縮機５０が共振することがなく、ヒートポンプユニット４８の信頼性を向上することができる。
【００６２】
（実施の形態７）
図７は、本発明の実施の形態７における洗濯機の要部断面図である。本実施の形態の特徴は、ヒータ５５およびファン５４ｂを有する乾燥ユニット５４で制振部４３の錘４４が構成されたことである。他の構成は実施の形態１と同じであり、同一の構成に同一の符号を付して、詳細な説明は実施の形態１のものを援用する。
【００６３】
図７において、制振部４３をヒータ５５およびファン５４ｂを有する乾燥ユニット５４で錘４４が構成されている。乾燥ユニット５４は、乾燥ユニットケース５４ａの内部で、ヒータ５５を前側に配置され、ファン５４ｂを後側に配置されている。制振部４３は、錘４４として作用する乾燥ユニット５４のヒータ５５側を前部補強体４１に支持し、乾燥ユニット５４のファン５４ｂ側を後部補強体４２に支持している。特に、前側から見て左右方向に移動が可能なように、それぞれスライド支持部４５で支持している。
【００６４】
乾燥ユニット５４のヒータ５５側と前部補強体４１は、第１の弾性体４６で弾性的に接続されている。乾燥ユニット５４のファン５４ｂ側と後部補強体４２は、第２の弾性体４７で弾性的に接続されている。第１の弾性体４６と第２の弾性体４７は、乾燥ユニット５４がスライド支持部４５でスライドすることによりせん断方向に変形し、弾性と減衰を発揮するように設けられている。
【００６５】
ヒータ５５は、比較的質量が小さいセラミックヒータで構成されている。ファン５４ｂは、比較的質量が大きい電動モータ５４ｃを有し、これにより駆動される。質量が小さいヒータ５５側の共振振動数と質量が大きいファン５４ｂ側の共振振動数は、筐体３０の共振振動数である、例えば８Ｈｚ〜１０Ｈｚと実質的に同一になるように、第１の弾性体４６の第１のばね定数を第２の弾性体４７の第２のばね定数より小さく設定されている。これにより、両者の共振振動数のずれによる制振効果の低下を防止することができる。
【００６６】
以上のように、本実施の形態においては、制振部４３は、ヒータ５５およびファン５４ｂを有する乾燥ユニット５４で錘４４を構成し、乾燥ユニット５４のヒータ５５側を前部補強体４１に移動が可能なように支持し、乾燥ユニット５４のファン５４ｂ側を後部補強体４２に移動が可能なように支持し、乾燥ユニット５４のヒータ５５側と前部補強体４１を第１の弾性体４６で接続し、乾燥ユニット５４のファン５４ｂ側と後部補強体４２を第２の弾性体４７で接続し、第１の弾性体４６の第１のばね定数を第２の弾性体４７の第２のばね定数より小さく設定されたものである。これにより、洗濯機は、制振部４３の錘４４に乾燥ユニット５４という既存の部材を用いることで、制振部４３を安価に構成することができるとともに、質量が大きい電動モータ５４ｃを有するファン５４ｂを含む乾燥ユニット５４を錘４４に使用することで制振能力を高めることができ、筐体３０の共振振動を安価で効果的に低減することができる。
【００６７】
なお、上記実施の形態において、錘４４がスライド支持部４５で左右にスライドして移
動する構成として説明したが、移動の構成はこれに限られるものではなく、ローラーを用いてスムーズに移動できる構成や、懸架することで揺動する構成などでもよい。
【産業上の利用可能性】
【００６８】
以上のように、本発明にかかる洗濯機は、筐体の共振振動を効果的に低減することができるので、洗濯機として有用である。
【符号の説明】
【００６９】
３０  筐体
３３  外槽
３４  洗濯兼脱水槽
３５  モータ（駆動部）
４１  前部補強体
４２  後部補強体
４３  制振部
４３ａ  振動部
４４  錘
４５  スライド支持部
４６  第１の弾性体
４７  第２の弾性体
４８  ヒートポンプユニット
４８ａ  ヒートポンプケース
５１  第３の弾性体
５２  第１の振動部
５３  第２の振動部
５４  乾燥ユニット
５４ｂ  ファン
５５  ヒータ
【図１】
0006413079.tif 000002
【図２】
0006413079.tif 000003
【図３】
0006413079.tif 000004
【図４】
0006413079.tif 000005
【図５】
0006413079.tif 000006
【図６】
0006413079.tif 000007
【図７】
0006413079.tif 000008
【図８】
0006413079.tif 000009